(57)【特許請求の範囲】
【請求項１】
フレームと、このフレームに固定される複数の支持板と、各支持板にそれぞれ固定されるステッピングモータと、各ステッピングモータの回転軸にそれぞれ固定される回転リールとを備えたスロットマシン用リールユニットであって、
前記フレームは、天板と、この天板と対向する底板とを有し、
前記天板の前面には、支持板がビス止めされる複数の被ビス止め部が設けられ、
前記天板の奥行巾の中間には、支持板が係止される複数の被係止部が設けられ、
前記底板の前面には、支持板がビス止めされる複数の被ビス止め部が設けられ、
前記底板の奥行巾の中間には、支持板が係止される複数の被係止部が設けられ、
前記各支持板は、それぞれ、天板の被ビス止め部にビス止めされるビス止め部と、天板の被係止部に係止される係止部と、底板の被ビス止め部にビス止めされるビス止め部と、底板の被係止部に係止される係止部とを有し、
前記各係止部を前記各被係止部にそれぞれ係止させるとともに、前記各ビス止め部を前記各被ビス止め部にそれぞれビス止めすることにより、前記各支持板がフレームにそれぞれ固定されるように形成され、
前記各被係止部は、それぞれ、天板又は底板の奥行巾の中間からフレームの内方へ向けて突出する内方突出部と、この内方突出部に設けられ、かつ、天板又は底板と平行方向に延びる横長穴とを有し、
前記各支持板の各係止部付近には、それぞれ、支持板をフレームに固定した際に係止部を被係止部に圧接させるバネ部が設けられ、
前記各係止部は、それぞれ、バネ部に連結される連結部と、この連結部の反バネ部側に連設され、かつ、連結部側から反連結部側へ向けてその幅を次第に狭くする平板状の差込部とを有し、
前記差込部の連結部側の幅は、横長穴の長手よりも大きく形成されているとともに、前記差込部の反連結部側の幅は、横長穴の長手よりも小さく形成され、
前記差込部の反連結部側を横長穴に差し込むことにより、係止部が被係止部に係止されるとともに、前記バネ部が差込部を横長穴に押し込むことにより、係止部が被係止部に圧接するように形成されていることを特徴とするスロットマシン用リールユニット。
【請求項２】
フレームと、このフレームに固定される複数の支持板と、各支持板にそれぞれ固定されるステッピングモータと、各ステッピングモータの回転軸にそれぞれ固定される回転リールとを備えたスロットマシン用リールユニットであって、
前記フレームは、天板と、この天板と対向する底板とを有し、
前記天板の前面には、支持板がビス止めされる複数の被ビス止め部が設けられ、
前記天板の各被ビス止め部の後方には、それぞれ、支持板が係止される被係止部が設けられ、
前記底板の前面には、支持板がビス止めされる複数の被ビス止め部が設けられ、
前記底板の各被ビス止め部の後方には、それぞれ、支持板が係止される被係止部が設けられ、
前記各支持板は、それぞれ、天板の被ビス止め部にビス止めされるビス止め部と、天板の被係止部に係止される係止部と、底板の被ビス止め部にビス止めされるビス止め部と、底板の被係止部に係止される係止部とを有し、
前記各係止部を前記各被係止部にそれぞれ係止させるとともに、前記各ビス止め部を前記各被ビス止め部にそれぞれビス止めすることにより、前記各支持板がフレームにそれぞれ固定されるように形成され、
前記各被係止部は、それぞれ、天板又は底板の奥行巾の中間からフレームの内方へ向けて突出する内方突出部と、この内方突出部に設けられ、かつ、天板又は底板と平行方向に延びる横長穴とを有し、
前記各支持板の各係止部付近には、それぞれ、支持板をフレームに固定した際に係止部を被係止部に圧接させるバネ部が設けられ、
前記各係止部は、それぞれ、バネ部に連結される連結部と、この連結部の反バネ部側に連設され、かつ、連結部側から反連結部側へ向けてその幅を次第に狭くする平板状の差込部とを有し、
前記差込部の連結部側の幅は、横長穴の長手よりも大きく形成されているとともに、前記差込部の反連結部側の幅は、横長穴の長手よりも小さく形成され、
前記差込部の反連結部側を横長穴に差し込むことにより、係止部が被係止部に係止されるとともに、前記バネ部が差込部を横長穴に押し込むことにより、係止部が被係止部に圧接するように形成されていることを特徴とするスロットマシン用リールユニット。
【請求項３】
フレームと、このフレームに固定される複数の支持板と、各支持板にそれぞれ固定されるステッピングモータと、各ステッピングモータの回転軸にそれぞれ固定される回転リールとを備えたスロットマシン用リールユニットであって、
前記フレームは、天板と、この天板と対向する底板とを有し、
前記天板の前面には、支持板がビス止めされる複数の被ビス止め部が設けられ、
前記天板の各被ビス止め部の後方には、それぞれ、支持板が係止される被係止部が設けられ、
前記底板の前面には、支持板がビス止めされる複数の被ビス止め部が設けられ、
前記底板の各被ビス止め部の後方には、それぞれ、支持板が係止される被係止部が設けられ、
前記各支持板は、それぞれ、天板の被ビス止め部にビス止めされるビス止め部と、天板の被係止部に係止される係止部と、底板の被ビス止め部にビス止めされるビス止め部と、底板の被係止部に係止される係止部とを有し、
前記各係止部を前記各被係止部にそれぞれ係止させるとともに、前記各ビス止め部を前記各被ビス止め部にそれぞれビス止めすることにより、前記各支持板がフレームにそれぞれ固定されるように形成され、
前記各被係止部は、それぞれ、天板又は底板からフレームの内方へ向けて且つ天板又は底板に対して垂直に突出する第１突出片と、この第１突出片付近の天板又は底板から第１突出片の先端方向へ向けて且つ天板又は底板に対して斜めに突出する第２突出片とを有し、
前記各係止部は、それぞれ、第１突出片と第２突出片との間に位置し且つ天板又は底板と第２突出片との間に挟まれるようにして保持される挟持片と、この挟持片に連設され且つ第１突出片に圧接して挟持片を天板又は底板と第２突出片との間に押し込むバネ部とを有していることを特徴とするスロットマシン用リールユニット。
【請求項４】
前記各係止部を、天板又は底板に平行な平板状に形成するとともに、各係止部に、その後端から前方へ向けて延びる切り込み部を設け、この切り込み部の一方側を挟持片とし且つ他方側をバネ部とするとともに、バネ部の横幅を挟持片の横幅よりも狭く形成したことを特徴とする請求項３記載のスロットマシン用リールユニット。
【請求項５】
前記挟持片における第２突出片との接触部位に、第２突出片と平行に接するテーパー部を設けたことを特徴とする請求項４記載のスロットマシン用リールユニット。
【請求項６】
前記バネ部の先端付近に、反挟持片方向へ向けて突出する先端凸部を設け、この先端凸部が第１突出片と圧接するように形成したことを特徴とする請求項４又は５記載のスロットマシン用リールユニット。
【発明の詳細な説明】
【０００１】
【発明の属する技術分野】
本発明は、スロットマシン用リールユニットに関し、更に詳しくは、支持板のフレームへの固定作業や、支持板のフレームからの取り外し作業を容易にしたスロットマシン用リールユニットに関するものである。
【０００２】
【従来の技術】
従来から、四角枠型のフレームと、このフレームに固定される３枚の支持板と、各支持板にそれぞれ固定されるステッピングモータと、各ステッピングモータの回転軸にそれぞれ固定される回転リールとを備えたスロットマシン用リールユニットが提供されている。
【０００３】
このようなスロットマシン用リールユニットは、スロットマシンの筐体の内部に備えられ、スロットマシンでの遊技に用いられるものである。
すなわち、スロットマシンは、四角箱型の筐体を備え、この筐体の内部に、３個の回転リールを備えたスロットマシン用リールユニットを備えている。また、筐体の前面には前面扉が設けられ、この前面扉に、３個の回転リールを横並びに見ることができる図柄表示窓や、回転リールの回転を開始させるためのスタートスイッチや、回転リールの回転を停止させるためのストップスイッチなどが設けられている。そして、スタートスイッチを操作すると、３個すべての回転リールの回転が開始し、ストップスイッチを操作すると、当該ストップスイッチに対応した回転リールの回転が停止し、３個すべての回転リールの回転が停止したときに、所定の図柄が所定の入賞ライン上に揃うと、遊技者に対して所定の利益が付与されるのである。
【０００４】
ここで、前記フレームは、天板と、この天板と対向する底板とを備えている。
また、前記各支持板は、それぞれ、四角板状に形成されており、上前部及び上後部の２ヶ所を天板にビス止めされるとともに、下前部及び下後部の２ヶ所を底板にビス止めされることによって、フレームに固定されている。すなわち、前記各支持板は、それぞれ、四隅を天板及び底板にビス止めされることによって、フレームに固定されているのである。
【０００５】
また、前記各ステッピングモータは、それぞれ、支持板のほぼ中央にビスで固定されており、また、前記各回転リールは、それぞれ、ステッピングモータの回転軸に固定されている。
【０００６】
【発明が解決しようとする課題】
しかし、上述した従来のスロットマシン用リールユニットでは、各支持板が四隅を天板及び底板にビス止めされていたため、各支持板をフレームに固定する作業や、あるいは各支持板をフレームから取り外す作業が煩雑であった。
このため、上述した従来のスロットマシン用リールユニットは、組み立てやメンテナンスが面倒だったのである。
【０００７】
ここで、支持板の着脱作業を容易にするために、例えば、天板へのビス止め箇所を１ヶ所にするとともに、底板へのビス止め箇所を１ヶ所にすることもできる。すなわち、ビス止め箇所を減らして、２本のビスだけで、各支持板をフレームに固定することもできる。また、例えば、各支持板の四隅を天板及び底板に係止させることによって、各支持板をフレームに固定することもできる。すなわち、各支持板のフレームへの固定方法を、ビス止めから係止に変更することもできる。
【０００８】
ただ、ビス止め箇所を減らしたり、あるいは固定方法をビス止めから係止に変更したりするだけでは、フレームと支持板との間にガタツキが生じてしまう。これでは、ステッピングモータや回転リールが回転すると、支持板が振動してしまい、これにより、フレームと支持板との間で異音が発生してしまうのである。
（第１の発明）
そこで、第１の発明は、各支持板の上後部を天板に係止させ、かつ、各支持板の下後部を底板に係止させ、かつ、各支持板の上前部を天板にビス止めし、かつ、各支持板の下前部を底板にビス止めするとともに、フレーム又は支持板の所定位置に、支持板をフレームに固定した際にフレームと支持板とを圧接させるバネ部を設けることにより、各支持板の着脱作業を容易にしつつ、フレームと各支持板との間のガタツキを防止するようにしたスロットマシン用リールユニットを提供することを目的とする。
【０００９】
（第２の発明）
また、第２の発明は、各支持板の上後部を天板に係止させ、かつ、各支持板の下後部を底板に係止させ、かつ、各支持板の上前部を天板にビス止めし、かつ、各支持板の下前部を底板にビス止めするとともに、各支持板の各係止部付近に、支持板をフレームに固定した際に係止部を被係止部に圧接させるバネ部を設けることにより、各支持板の着脱作業を容易にしつつ、フレームと各支持板との間のガタツキを防止するようにしたスロットマシン用リールユニットを提供することを目的とする。
【００１０】
（第３の発明）
また、第３の発明は、各支持板の上後部を天板に係止させ、かつ、各支持板の下後部を底板に係止させ、かつ、各支持板の上前部を天板にビス止めし、かつ、各支持板の下前部を底板にビス止めするとともに、各支持板の各係止部付近に、支持板をフレームに固定した際にフレームに圧接するバネ部を設けることにより、各支持板の着脱作業を容易にしつつ、フレームと各支持板との間のガタツキを防止するようにしたスロットマシン用リールユニットを提供することを目的とする。
【００１１】
（第４の発明）
また、第４の発明は、上記した第２の発明の目的に加えて、天板及び底板の各被係止部に、天板又は底板と平行方向に延びる横長穴を設けるとともに、各支持板の各係止部には、先細平板状の差込部を設けて、差込部の先端を横長穴に差し込むことにより、係止部を被係止部に係止させるとともに、バネ部が差込部を横長穴に押し込むことにより、係止部を被係止部に圧接するようにし、これにより、各支持板の横方向のガタツキも防止するようにしたスロットマシン用リールユニットを提供することを目的とする。
【００１２】
（第５の発明）
また、第５の発明は、上記した第２、第３又は第４の発明の目的に加えて、各支持板を、金属板にプレス加工を施すことによって一体的に形成することにより、製造が容易なスロットマシン用リールユニットを提供することを目的とする。
【００１３】
（第６の発明）
また、第６の発明は、各支持板の上後部を天板に係止させ、かつ、各支持板の下後部を底板に係止させ、かつ、各支持板の上前部を天板にビス止めし、かつ、各支持板の下前部を底板にビス止めするとともに、各係止部に、支持板をフレームに固定した際に係止部を被係止部に圧接させるバネ部を備えることにより、各支持板の着脱作業を容易にしつつ、フレームと各支持板との間のガタツキを防止するようにしたスロットマシン用リールユニットを提供することを目的とする。
【００１４】
（第７の発明）
また、第７の発明は、第６の発明の目的に加えて、各被係止部を、天板又は底板に対して垂直に突出する第１突出片と、天板又は底板に対して斜めに突出する第２突出片とから構成するとともに、各係止部を、天板又は底板と第２突出片との間に挟まれるようにして保持される挟持片と、第１突出片に圧接して挟持片を天板又は底板と第２突出片との間に押し込むバネ部とから構成することにより、各支持板の上下方向及び横方向の双方のガタツキを防止するようにしたスロットマシン用リールユニットを提供することを目的とする。
【００１５】
（第８の発明）
また、第８の発明は、第７の発明の目的に加えて、各係止部を、天板又は底板に平行な平板状に形成するとともに、各係止部に、その後端から前方へ向けて延びる切り込み部を設け、この切り込み部の一方側を挟持片とし且つ他方側をバネ部とするとともに、バネ部の横幅を挟持片の横幅よりも狭く形成することにより、各係止部の構造を単純化したスロットマシン用リールユニットを提供することを目的とする。
【００１６】
（第９の発明）
また、第９の発明は、第８の発明の目的に加えて、挟持片における第２突出片との接触部位に、第２突出片と平行に接するテーパー部を設けることにより、各支持板のガタツキをより効果的に防止するようにしたスロットマシン用リールユニットを提供することを目的とする。
【００１７】
（第１０の発明）
更に、第１０の発明は、第８又は第９の発明の目的に加えて、バネ部の先端付近に、反挟持片方向へ向けて突出する先端凸部を設け、この先端凸部を第１突出片に圧接させることにより、バネ部による付勢をより効果的に行えるようにしたスロットマシン用リールユニットを提供することを目的とする。
【００１８】
【課題を解決するための手段】
（第１の発明）
第１の発明は、フレーム（20）と、このフレーム（20）に固定される複数の支持板（30）と、各支持板（30）にそれぞれ固定されるステッピングモータ（40）と、各ステッピングモータ（40）の回転軸にそれぞれ固定される回転リール（50）とを備えたスロットマシン用リールユニット（10）であって、前記フレーム（20）は、天板（21）と、この天板（21）と対向する底板（22）とを有し、前記天板（21）の前面には、支持板（30）がビス止めされる複数の被ビス止め部（60）が設けられ、前記天板（21）の奥行巾の中間には、支持板（30）が係止される複数の被係止部（70）が設けられ、前記底板（22）の前面には、支持板（30）がビス止めされる複数の被ビス止め部（60）が設けられ、前記底板（22）の奥行巾の中間には、支持板（30）が係止される複数の被係止部（70）が設けられ、前記各支持板（30）は、それぞれ、天板（21）の被ビス止め部（60）にビス止めされるビス止め部（80）と、天板（21）の被係止部（70）に係止される係止部（90）と、底板（22）の被ビス止め部（60）にビス止めされるビス止め部（80）と、底板（22）の被係止部（70）に係止される係止部（90）とを有し、前記各係止部（90）を前記各被係止部（70）にそれぞれ係止させるとともに、前記各ビス止め部（80）を前記各被ビス止め部（60）にそれぞれビス止めすることにより、前記各支持板（30）がフレーム（20）にそれぞれ固定されるように形成され、前記フレーム（20）又は支持板（30）の所定位置には、支持板（30）をフレーム（20）に固定した際にフレーム（20）と支持板（30）とを圧接させるバネ部（100）が設けられていることを特徴とする。
【００１９】
すなわち、本発明は、各支持板（30）の上後部を天板（21）に係止させ、かつ、各支持板（30）の下後部を底板（22）に係止させ、かつ、各支持板（30）の上前部を天板（21）にビス止めし、かつ、各支持板（30）の下前部を底板（22）にビス止めするとともに、フレーム（20）又は支持板（30）の所定位置に、支持板（30）をフレーム（20）に固定した際にフレーム（20）と支持板（30）とを圧接させるバネ部（100）を設けたものである。
【００２０】
ここで、「スロットマシン用リールユニット（10）」とは、スロットマシンの筐体の内部に備えられ、スロットマシンでの遊技に用いられるものである。
このスロットマシン用リールユニット（10）は、フレーム（20）と、このフレーム（20）に固定される複数の支持板（30）と、各支持板（30）にそれぞれ固定されるステッピングモータ（40）と、各ステッピングモータ（40）の回転軸にそれぞれ固定される回転リール（50）とを備えている。
【００２１】
すなわち、フレーム（20）に複数の支持板（30）が固定され、また、各支持板（30）にそれぞれステッピングモータ（40）が固定され、また、各ステッピングモータ（40）の回転軸にそれぞれ回転リール（50）が固定されることによって、このスロットマシン用リールユニット（10）が形成されるのである。
また、「フレーム（20）」は、天板（21）と、この天板（21）と対向する底板（22）とを有している。また、このフレーム（20）は、天板（21）と、この天板と対向する底板（22）とを有するように形成されればよい。したがって、このフレーム（20）は、例えば、前面及び後面に開口部を有する四角枠型に形成してもよく、また、前面に開口部を有し、後面には背板を有する四角箱型に形成してもよい。また、このフレーム（20）は、例えば、複数の部品から形成してもよく、また、射出成形によって一体的に形成してもよい。また、このフレーム（20）は、例えば、金属製としてもよく、また、樹脂製としてもよい。
【００２２】
また、「天板（21）」は、スロットマシン用リールユニット（10）がスロットマシンの筐体の内部に固定された際に上側に位置する。同様に、「底板（22）」は下側に位置し、「前面」は前側に位置し、「後面」は後側に位置する。
また、「奥行巾の中間」とは、前面と後面との中間を意味する。
また、「支持板（30）」は、フレーム（20）に固定される。
【００２３】
また、「ステッピングモータ（40）」は、支持板（30）に固定される。このステッピングモータ（40）は、スタートスイッチが操作されると駆動を開始し、ストップスイッチが操作されると駆動を停止する。
また、「回転リール（50）」は、ステッピングモータ（40）の回転軸に固定される。この回転リール（50）は、ステッピングモータ（40）が駆動を開始すると回転を開始し、ステッピングモータ（40）が駆動を停止すると回転を停止する。また、この回転リール（50）の周囲には、複数種類の図柄が所定の配列で表示されている。
【００２４】
また、支持板（30）、ステッピングモータ（40）及び回転リール（50）の個数は、例えば３個ずつとしてもよく、また４個ずつとしてもよい。
次に、支持板（30）のフレーム（20）への固定について説明する。
天板（21）の前面には、支持板（30）がビス止めされる複数の「被ビス止め部（60）」が設けられている。
【００２５】
また、天板（21）の奥行巾の中間には、支持板（30）が係止される複数の「被係止部（70）」が設けられている。
また、底板（22）の前面には、支持板（30）がビス止めされる複数の「被ビス止め部（60）」が設けられている。
また、底板（22）の奥行巾の中間には、支持板（30）が係止される複数の「被係止部（70）」が設けられている。
【００２６】
また、各支持板（30）は、それぞれ、天板（21）の被ビス止め部（60）にビス止めされる「ビス止め部（80）」と、天板（21）の被係止部（70）に係止される「係止部（90）」と、底板（22）の被ビス止め部（60）にビス止めされる「ビス止め部（80）」と、底板（22）の被係止部（70）に係止される「係止部（90）」とを有している。
【００２７】
そして、各支持板（30）のフレーム（20）への固定は、各係止部（90）を各被係止部（70）にそれぞれ係止させるとともに、各ビス止め部（80）を各被ビス止め部（60）にそれぞれビス止めすることによって行われる。
すなわち、各支持板（30）は、上後部を天板（21）に係止され、かつ、上前部を天板（21）にビス止めされ、かつ、下後部を底板（22）に係止され、かつ、下前部を底板（22）にビス止めされることによって、フレーム（20）に固定されるのである。
【００２８】
また、係止部（90）及び被係止部（70）の構造については、係止部（90）を被係止部（70）に引っ掛けるような構造としてもよく、逆に、被係止部（70）を係止部（90）に引っ掛けるような構造としてもよい。
例えば、係止部（90）に鉤爪を設けるとともに、被係止部（70）には鉤爪を係止可能な係止穴を設けることができる。そうすると、係止部（90）を被係止部（70）に引っ掛けるようにして、係止部（90）を被係止部（70）に係止させることができる。逆に、被係止部（70）に鉤爪を設けるとともに、係止部（90）には鉤爪を係止可能な係止穴を設けることができる。そうすると、被係止部（70）を係止部（90）に引っ掛けるようにして、係止部（90）を被係止部（70）に係止させることができるのである。
【００２９】
更に、フレーム（20）又は支持板（30）の所定位置には、支持板（30）をフレーム（20）に固定した際にフレーム（20）と支持板（30）とを圧接させるバネ部（100）が設けられている。
ここで、「バネ部（100）」は、フレーム（20）又は支持板（30）の所定位置に設けられる。そして、支持板（30）をフレーム（20）に固定した際には、このバネ部（100）が、フレーム（20）と支持板（30）とを圧接させる。
【００３０】
具体的には、例えば、各支持板（30）の各係止部（90）付近に、それぞれ、支持板（30）をフレーム（20）に固定した際に係止部（90）を被係止部（70）に圧接させるバネ部（100）を設けることができる。すなわち、各支持板（30）の各係止部（90）付近に、それぞれ、バネ部（100）を設けることができる。そして、支持板（30）をフレーム（20）に固定した際には、これらのバネ部（100）が係止部（90）を被係止部（70）に圧接させることにより、フレーム（20）と支持板（30）とが圧接するようにすることができる。
【００３１】
また、例えば、フレーム（20）の各被係止部（70）付近に、それぞれ、支持板（30）をフレーム（20）に固定した際に被係止部（70）を係止部（90）に圧接させるバネ部（100）を設けることができる。すなわち、フレーム（20）の各被係止部（70）付近に、それぞれ、バネ部（100）を設けることができる。そして、支持板（30）をフレーム（20）に固定した際には、これらのバネ部（100）が被係止部（70）を係止部（90）に圧接させることにより、フレーム（20）と支持板（30）とが圧接するようにすることができる。
【００３２】
また、例えば、各支持板（30）の各係止部（90）付近に、それぞれ、支持板（30）をフレーム（20）に固定した際にフレーム（20）に圧接するバネ部（100）を設けることができる。すなわち、各支持板（30）の各係止部（90）付近に、それぞれ、バネ部（100）を設けることができる。そして、支持板（30）をフレーム（20）に固定した際には、これらのバネ部（100）が直にフレーム（20）に圧接することにより、フレーム（20）と支持板（30）とが圧接するようにすることができる。
【００３３】
また、例えば、フレーム（20）の各被係止部（70）付近に、それぞれ、支持板（30）をフレーム（20）に固定した際に支持板（30）に圧接するバネ部（100）を設けることができる。すなわち、フレーム（20）の各被係止部（70）付近に、それぞれ、バネ部（100）を設けることができる。そして、支持板（30）をフレーム（20）に固定した際には、これらのバネ部（100）が直に支持板（30）に圧接することにより、フレーム（20）と支持板（30）とが圧接するようにすることができる。
【００３４】
また、例えば、各支持板（30）の各係止部（90）に、それぞれ、支持板（30）をフレーム（20）に固定した際に係止部（90）を被係止部（70）に圧接させるバネ部（100）を備えることができる。すなわち、各支持板（30）の各係止部（90）に、それぞれ、バネ部（100）を備えることができる。そして、支持板（30）をフレーム（20）に固定した際には、これらのバネ部（100）が係止部（90）を被係止部（70）に圧接させることにより、フレーム（20）と支持板（30）とが圧接するようにすることができる。
【００３５】
また、例えば、フレーム（20）の各被係止部（70）に、それぞれ、支持板（30）をフレーム（20）に固定した際に被係止部（70）を係止部（90）に圧接させるバネ部（100）を備えることができる。すなわち、フレーム（20）の各被係止部（70）に、それぞれ、バネ部（100）を備えることができる。そして、支持板（30）をフレーム（20）に固定した際には、これらのバネ部（100）が被係止部（70）を係止部（90）に圧接させることにより、フレーム（20）と支持板（30）とが圧接するようにすることができる。
【００３６】
このように、フレーム（20）又は支持板（30）の所定位置に、フレーム（20）と支持板（30）とを圧接させるバネ部（100）を設けると、このバネ部（100）が、支持板（30）とフレーム（20）との間のガタツキを抑え、更には、ステッピングモータ（40）や回転リール（50）の回転による支持板（30）の振動を吸収するのである。
【００３７】
また、このバネ部（100）には、弾性体を使用することができる。また、このバネ部（100）には、例えば、板バネを用いてもよく、また、コイルバネを用いてもよく、また、天然若しくは合成ゴム、又はエラストマー等を用いてもよい。また、このバネ部（100）は、例えば、フレーム（20）又は支持板（30）と一体的に形成してもよく、また、フレーム（20）又は支持板（30）とは別個に形成して、ビス等でフレーム（20）又は支持板（30）に固定してもよい。
【００３８】
このように、各支持板（30）のビス止め箇所を２ヶ所にすることにより、ビスの止め外しの手間を軽減させることができるので、支持板（30）の着脱作業を容易にすることができるのである。
また、各支持板（30）のビス止め箇所を２ヶ所に減らしても、他に２ヶ所の係止箇所を設けているとともに、フレーム（20）又は支持板（30）の所定位置には、フレーム（20）と支持板（30）とを圧接させるバネ部（100）を設けているので、フレーム（20）と支持板（30）との間のガタツキを抑えることができ、更には、ステッピングモータ（40）や回転リール（50）の回転による振動を防止できるのである。
【００３９】
更に、各支持板（30）のビス止め箇所をフレーム（20）の前面に設けたことから、たとえスロットマシン用リールユニット（10）が筐体の内部に固定されていても、ビス（83）の止め外しを容易に行えるので、メンテナンス性をより一層向上させることができるのである。
（第２の発明）
第２の発明は、フレーム（20）と、このフレーム（20）に固定される複数の支持板（30）と、各支持板（30）にそれぞれ固定されるステッピングモータ（40）と、各ステッピングモータ（40）の回転軸にそれぞれ固定される回転リール（50）とを備えたスロットマシン用リールユニット（10）であって、前記フレーム（20）は、天板（21）と、この天板（21）と対向する底板（22）とを有し、前記天板（21）の前面には、支持板（30）がビス止めされる複数の被ビス止め部（60）が設けられ、前記天板（21）の奥行巾の中間には、支持板（30）が係止される複数の被係止部（70）が設けられ、前記底板（22）の前面には、支持板（30）がビス止めされる複数の被ビス止め部（60）が設けられ、前記底板（22）の奥行巾の中間には、支持板（30）が係止される複数の被係止部（70）が設けられ、前記各支持板（30）は、それぞれ、天板（21）の被ビス止め部（60）にビス止めされるビス止め部（80）と、天板（21）の被係止部（70）に係止される係止部（90）と、底板（22）の被ビス止め部（60）にビス止めされるビス止め部（80）と、底板（22）の被係止部（70）に係止される係止部（90）とを有し、前記各係止部（90）を前記各被係止部（70）にそれぞれ係止させるとともに、前記各ビス止め部（80）を前記各被ビス止め部（60）にそれぞれビス止めすることにより、前記各支持板（30）がフレーム（20）にそれぞれ固定されるように形成され、前記各支持板（30）の各係止部（90）付近には、それぞれ、支持板（30）をフレーム（20）に固定した際に係止部（90）を被係止部（70）に圧接させるバネ部（100）が設けられていることを特徴とする。
【００４０】
すなわち、本発明は、各支持板（30）の各係止部（90）付近にバネ部（100）を設け、このバネ部（100）が、係止部（90）を付勢することにより、係止部（90）が被係止部（70）に圧接するようにしたものである。
このように、各係止部（90）付近に設けたバネ部（100）が、係止部（90）を被係止部（70）に圧接させるようにすることにより、係止部（90）付近におけるフレーム（20）と支持板（30）との間のガタツキを抑えることができ、更には、ステッピングモータ（40）や回転リール（50）の回転による振動を防止できるのである。
【００４１】
また、各支持板（30）のビス止め箇所を２ヶ所にすることにより、ビスの止め外しの手間を軽減させて、支持板（30）の着脱作業を容易にしているのは、請求項１記載の発明と同様である。
また、各支持板（30）のビス止め箇所をフレーム（20）の前面に設けることにより、ビスの止め外しを容易に行えるようにして、メンテナンス性をより一層向上させているのも、請求項１記載の発明と同様である。
【００４２】
（第３の発明）
また、第３の発明は、フレーム（20）と、このフレーム（20）に固定される複数の支持板（30）と、各支持板（30）にそれぞれ固定されるステッピングモータ（40）と、各ステッピングモータ（40）の回転軸にそれぞれ固定される回転リール（50）とを備えたスロットマシン用リールユニット（10）であって、前記フレーム（20）は、天板（21）と、この天板（21）と対向する底板（22）とを有し、前記天板（21）の前面には、支持板（30）がビス止めされる複数の被ビス止め部（60）が設けられ、前記天板（21）の奥行巾の中間には、支持板（30）が係止される複数の被係止部（70）が設けられ、前記底板（22）の前面には、支持板（30）がビス止めされる複数の被ビス止め部（60）が設けられ、前記底板（22）の奥行巾の中間には、支持板（30）が係止される複数の被係止部（70）が設けられ、前記各支持板（30）は、それぞれ、天板（21）の被ビス止め部（60）にビス止めされるビス止め部（80）と、天板（21）の被係止部（70）に係止される係止部（90）と、底板（22）の被ビス止め部（60）にビス止めされるビス止め部（80）と、底板（22）の被係止部（70）に係止される係止部（90）とを有し、前記各係止部（90）を前記各被係止部（70）にそれぞれ係止させるとともに、前記各ビス止め部（80）を前記各被ビス止め部（60）にそれぞれビス止めすることにより、前記各支持板（30）がフレーム（20）にそれぞれ固定されるように形成され、前記各支持板（30）の各係止部（90）付近には、それぞれ、支持板（30）をフレーム（20）に固定した際にフレーム（20）に圧接するバネ部（100）が設けられていることを特徴とする。
【００４３】
ここで、第２の発明は、各支持板（30）の各係止部（90）付近に、支持板（30）をフレーム（20）に固定した際に係止部（90）を被係止部（70）に圧接させるバネ部（100）を設けたものであるが、本発明は、各支持板（30）の各係止部（90）付近に、支持板（30）をフレーム（20）に固定した際にフレーム（20）に圧接するバネ部（100）を設けたものである。
【００４４】
すなわち、第２の発明は、係止部（90）付近に設けたバネ部（100）が、係止部（90）を付勢することにより、係止部（90）が被係止部（70）に圧接するようにしたものであるが、本発明は、係止部（90）付近に設けたバネ部（100）が、直にフレーム（20）に圧接するようにしたものである。
このように、各係止部（90）付近にバネ部（100）を設けるとともに、このバネ部（100）が、係止部（90）を被係止部（70）に圧接させるのではなく、直にフレーム（20）に圧接するようにしても、係止部（90）付近におけるフレーム（20）と支持板（30）との間のガタツキを抑えることができ、更には、ステッピングモータ（40）や回転リール（50）の回転による振動を防止できるのである。
【００４５】
また、各支持板（30）のビス止め箇所を２ヶ所にすることにより、ビスの止め外しの手間を軽減させて、支持板（30）の着脱作業を容易にしているのは、請求項１又は２記載の発明と同様である。
また、各支持板（30）のビス止め箇所をフレーム（20）の前面に設けることにより、ビスの止め外しを容易に行えるようにして、メンテナンス性をより一層向上させているのも、第１又は第２の発明と同様である。
【００４６】
（第４の発明）
また、第４の発明は、第２の発明の特徴に加え、前記各被係止部（70）は、それぞれ、天板（21）又は底板（22）の奥行巾の中間からフレーム（20）の内方へ向けて突出する内方突出部（71）と、この内方突出部（71）に設けられ、かつ、天板（21）又は底板（22）と平行方向に延びる横長穴（72）とを有し、前記各係止部（90）は、それぞれ、バネ部（100）に連結される連結部（91）と、この連結部（91）の反バネ部（100）側に連設され、かつ、連結部（91）側から反連結部（91）側へ向けてその幅を次第に狭くする平板状の差込部（92）とを有し、前記差込部（92）の連結部（91）側の幅は、横長穴（72）の長手よりも大きく形成されているとともに、前記差込部（92）の反連結部（91）側の幅は、横長穴（72）の長手よりも小さく形成され、前記差込部（92）の反連結部（91）側を横長穴（72）に差し込むことにより、係止部（90）が被係止部（70）に係止されるとともに、前記バネ部（100）が差込部（92）を横長穴（72）に押し込むことにより、係止部（90）が被係止部（70）に圧接するように形成されていることを特徴とする。
【００４７】
ここで、各被係止部（70）は、それぞれ、天板（21）又は底板（22）の奥行巾の中間からフレーム（20）の内方へ向けて突出する「内方突出部（71）」と、この内方突出部（71）に設けられ、かつ、天板（21）又は底板（22）と平行方向に延びる「横長穴（72）」とを有している。
すなわち、天板（21）又は底板（22）の奥行巾の中間に、フレーム（20）の内方へ向けて突出する内方突出部（71）を設けるとともに、この内方突出部（71）に、天板（21）又は底板（22）と平行方向に延びる横長穴（72）を設けることによって、被係止部（70）が形成されるのである。
【００４８】
また、「内方突出部（71）」は、天板（21）又は底板（22）の奥行巾の中間に設けられ、フレーム（20）の内方へ向けて突出するように形成される。すなわち、天板（21）に設けられる内方突出部（71）は、天板（21）の下方向へ向けて突出するように形成され、また、底板（22）に設けられる内方突出部（71）は、底板（22）の上方向へ向けて突出するように形成されるのである。
【００４９】
また、「横長穴（72）」は、天板（21）又は底板（22）と平行方向に延びるように形成される。すなわち、横長穴（72）は、横方向に延びるように形成されるのである。
また、各係止部（90）は、それぞれ、バネ部（100）に連結される「連結部（91）」と、この連結部（91）の反バネ部（100）側に連設され、かつ、連結部（91）側から反連結部（91）側へ向けてその幅を次第に狭くする平板状の「差込部（92）」とを有している。
【００５０】
すなわち、バネ部（100）の先端に連結部（91）を連設するとともに、この連結部（91）の反バネ部（100）側に差込部（92）を連設することによって、係止部（90）が形成されるのである。
また、「差込部（92）」は、連結部（91）側から反連結部（91）側へ向けてその幅を次第に狭くする平板状に形成されている。すなわち、差込部（92）は、先細の平板状に形成されているのである。
【００５１】
また、この差込部（92）は、連結部（91）側の幅を、横長穴（72）の長手よりも大きく形成されているとともに、反連結部（91）側の幅を、横長穴（72）の長手よりも小さく形成されている。
そして、差込部（92）の反連結部（91）側の先端を横長穴（72）に差し込むことにより、係止部（90）が被係止部（70）に係止されるとともに、バネ部（100）が差込部（92）を横長穴（72）に押し込むことにより、係止部（90）が被係止部（70）に圧接するようにしているのである。
【００５２】
このように、バネ部（100）が先細平板状の差込部（92）を横長穴（72）に押し込むように形成すると、横長穴（72）に対する差込部（92）の横方向のガタツキを防止することができ、ひいては各支持板（30）の横方向のガタツキを防止することができるのである。
（第５の発明）
また、第５の発明は、第２、第３又は第４の発明の特徴に加え、前記各支持板（30）は、それぞれ、金属板にプレス加工を施すことによって一体的に形成されていることを特徴とする。
【００５３】
このように、金属板にプレス加工を施すことによって、支持板（30）を、ビス止め部（80）、係止部（90）及びバネ部（100）とともに一体的に形成すると、支持板（30）の製造を容易にすることができ、ひいてはスロットマシン用リールユニット（10）の製造を容易にすることができるのである。
（第６の発明）
また、第６の発明は、フレーム（20）と、このフレーム（20）に固定される複数の支持板（30）と、各支持板（30）にそれぞれ固定されるステッピングモータ（40）と、各ステッピングモータ（40）の回転軸にそれぞれ固定される回転リール（50）とを備えたスロットマシン用リールユニット（10）であって、前記フレーム（20）は、天板（21）と、この天板（21）と対向する底板（22）とを有し、前記天板（21）の前面には、支持板（30）がビス止めされる複数の被ビス止め部（60）が設けられ、前記天板（21）の各被ビス止め部（60）の後方には、それぞれ、支持板（30）が係止される被係止部（70）が設けられ、前記底板（22）の前面には、支持板（30）がビス止めされる複数の被ビス止め部（60）が設けられ、前記底板（22）の各被ビス止め部（60）の後方には、それぞれ、支持板（30）が係止される被係止部（70）が設けられ、前記各支持板（30）は、それぞれ、天板（21）の被ビス止め部（60）にビス止めされるビス止め部（80）と、天板（21）の被係止部（70）に係止される係止部（90）と、底板（22）の被ビス止め部（60）にビス止めされるビス止め部（80）と、底板（22）の被係止部（70）に係止される係止部（90）とを有し、前記各係止部（90）を前記各被係止部（70）にそれぞれ係止させるとともに、前記各ビス止め部（80）を前記各被ビス止め部（60）にそれぞれビス止めすることにより、前記各支持板（30）がフレーム（20）にそれぞれ固定されるように形成され、前記各係止部（90）は、それぞれ、支持板（30）をフレーム（20）に固定した際に係止部（90）を被係止部（70）に圧接させるバネ部（100）を備えていることを特徴とする。
【００５４】
ここで、第２の発明は、支持板（30）の係止部（90）付近に、係止部（90）を被係止部（70）に圧接させるバネ部（100）を設けたものであり、また、第３の発明は、支持板（30）の係止部（90）付近に、フレーム（20）に圧接するバネ部（100）を設けたものであるが、本発明は、係止部（90）に、係止部（90）を被係止部（70）に圧接させるバネ部（100）を備えたものである。
【００５５】
すなわち、第２の発明は、係止部（90）付近にバネ部（100）を設け、このバネ部（100）が係止部（90）を付勢することにより、係止部（90）が被係止部（70）に圧接するようにしたものであり、また、第３の発明は、係止部（90）付近にバネ部（100）を設け、このバネ部（100）が直にフレーム（20）に圧接するようにしたものであるが、本発明は、係止部（90）自体がバネ部（100）を備え、このバネ部（100）が係止部（90）を被係止部（70）に圧接させるようにしたものである。
【００５６】
またここで、各被係止部（70）は、「天板（21）又は底板（22）の各被ビス止め部（60）の後方」に設けられればよく、したがって、「天板（21）又は底板（22）の奥行巾の中間」に設けてもよく、また、「天板（21）又は底板（22）の後面付近」に設けてもよい。
すなわち、「天板（21）又は底板（22）の各被ビス止め部（60）の後方」とは、「天板（21）又は底板（22）の奥行巾の中間」や「天板（21）又は底板（22）の後面付近」を含む概念である。
【００５７】
このように、係止部（90）自体にバネ部（100）を備え、このバネ部（100）が係止部（90）を被係止部（70）に圧接させるようにしても、係止部（90）付近におけるフレーム（20）と支持板（30）との間のガタツキを抑えることができ、更には、ステッピングモータ（40）や回転リール（50）の回転による振動を防止できるのである。
【００５８】
また、各支持板（30）のビス止め箇所を２ヶ所にすることにより、ビスの止め外しの手間を軽減させて、支持板（30）の着脱作業を容易にしているのは、請求項１ないし３記載の発明と同様である。
また、各支持板（30）のビス止め箇所をフレーム（20）の前面に設けることにより、ビスの止め外しを容易に行えるようにして、メンテナンス性をより一層向上させているのも、請求項１ないし３記載の発明と同様である。
【００５９】
（第７の発明）
また、第７の発明は、第６の発明の特徴に加え、前記各被係止部（70）は、それぞれ、天板（21）又は底板（22）からフレーム（20）の内方へ向けて且つ天板（21）又は底板（22）に対して垂直に突出する第１突出片（73）と、この第１突出片（73）付近の天板（21）又は底板（22）から第１突出片（73）の先端方向へ向けて且つ天板（21）又は底板（22）に対して斜めに突出する第２突出片（74）とを有し、前記各係止部（90）は、それぞれ、第１突出片（73）と第２突出片（74）との間に位置し且つ天板（21）又は底板（22）と第２突出片（74）との間に挟まれるようにして保持される挟持片（93）と、この挟持片（93）に連設され且つ第１突出片（73）に圧接して挟持片（93）を天板（21）又は底板（22）と第２突出片（74）との間に押し込むバネ部（100）とを有していることを特徴とする。
【００６０】
すなわち、本発明は、被係止部（70）の第１突出片（73）と第２突出片（74）との間に、係止部（90）の挟持片（93）とバネ部（100）とが挟まれることにより、係止部（90）が被係止部（70）に係止されるようにしたものであり、更には、バネ部（100）が挟持片（93）を天板（21）又は底板（22）と第２突出片（74）との間に押し込むことにより、係止部（90）が被係止部（70）に圧接するようにしたものである。
【００６１】
ここで、各被係止部（70）は、それぞれ、「第１突出片（73）」と「第２突出片（74）」とを有している。
また、「第１突出片（73）」は、天板（21）又は底板（22）からフレーム（20）の内方へ向けて、且つ、天板（21）又は底板（22）に対して垂直に突出するものである。すなわち、天板（21）に設けられる第１突出片（73）は、天板（21）の下方へ向けて、且つ、天板（21）に対して垂直に突出し、また、底板（22）に設けられる第１突出片（73）は、底板（22）の上方へ向けて、且つ、底板（22）に対して垂直に突出する。
【００６２】
また、「第２突出片（74）」は、第１突出片（73）付近の天板（21）又は底板（22）から第１突出片（73）の先端方向へ向けて、且つ、天板（21）又は底板（22）に対して斜めに突出するものである。すなわち、天板（21）に設けられる第２突出片（74）は、第１突出片（73）付近の天板（21）から第１突出片（73）の先端方向へ向けて、且つ、天板（21）に対して斜めに突出し、また、底板（22）に設けられる第２突出片（74）は、第１突出片（73）付近の底板（22）から第１突出片（73）の先端方向へ向けて、且つ、底板（22）に対して斜めに突出する。
【００６３】
これにより、各被係止部（70）の第１突出片（73）と第２突出片（74）との間隔は、天板（21）又は底板（22）からフレーム（20）の内方へ向かうに従って次第に狭くなる。
また、各係止部（90）は、それぞれ、「挟持片（93）」と「バネ部（100）」とを有している。
【００６４】
また、「挟持片（93）」は、第１突出片（73）と第２突出片（74）との間に位置し、且つ、天板（21）又は底板（22）と第２突出片（74）との間に挟まれるようにして保持されるものである。
また、「バネ部（100）」は、挟持片（93）に連設され、且つ、第１突出片（73）に圧接して挟持片（93）を天板（21）又は底板（22）と第２突出片（74）との間に押し込むものである。
【００６５】
このように、各被係止部（70）を、天板（21）又は底板（22）に対して垂直に突出する第１突出片（73）と、天板（21）又は底板（22）に対して斜めに突出する第２突出片（74）とから構成するとともに、各係止部（90）を、天板（21）又は底板（22）と第２突出片（74）との間に挟まれるようにして保持される挟持片（93）と、第１突出片（73）に圧接して挟持片（93）を天板（21）又は底板（22）と第２突出片（74）との間に押し込むバネ部（100）とから構成することにより、挟持片（93）が天板（21）又は底板（22）と第２突出片（74）とに圧接することから、各支持板（30）の上下方向及び横方向の双方のガタツキを防止できるのである。
【００６６】
（第８の発明）
また、第８の発明は、第７の発明の特徴に加え、前記各係止部（90）を、天板（21）又は底板（22）に平行な平板状に形成するとともに、各係止部（90）に、その後端から前方へ向けて延びる切り込み部（110）を設け、この切り込み部（110）の一方側を挟持片（93）とし且つ他方側をバネ部（100）とするとともに、バネ部（100）の横幅を挟持片（93）の横幅よりも狭く形成したことを特徴とする。
【００６７】
ここで、「切り込み部（110）」は、係止部（90）の後端から前方へ向けて延びるように形成される。また、ここでいう「前」や「後」は、スロットマシン用リールユニット（10）がスロットマシンの筐体に固定された際における「前」や「後」を意味するものである。
また、「バネ部（100）の横幅を挟持片（93）の横幅よりも狭く」形成することにより、バネ部（100）の方が挟持片（93）よりも弾性変形しやすくなるので、バネ部（100）がスプリング効果を発揮しやすくなるのである。また、ここでいう「横」は、スロットマシン用リールユニット（10）がスロットマシンの筐体に固定された際における「横」を意味するものである。
【００６８】
このように、各係止部（90）を、天板（21）又は底板（22）に平行な平板状に形成するとともに、各係止部（90）に、その後端から前方へ向けて延びる切り込み部（110）を設け、この切り込み部（110）の一方側を挟持片（93）とし且つ他方側をバネ部（100）とするとともに、バネ部（100）の横幅を挟持片（93）の横幅よりも狭く形成することにより、各係止部（90）の構造を単純化することができるのである。
【００６９】
（第９の発明）
また、第９の発明は、第８の発明の特徴に加え、前記挟持片（93）における第２突出片（74）との接触部位に、第２突出片（74）と平行に接するテーパー部（94）を設けたことを特徴とする。
このように、挟持片（93）における第２突出片（74）との接触部位に、第２突出片（74）と平行に接するテーパー部（94）を設けることにより、挟持片（93）と第２突出片（74）との接触面積が大きくなるので、各支持板（30）のガタツキをより効果的に防止できるのである。
【００７０】
更に、挟持片（93）における第２突出片（74）との接触部位に、第２突出片（74）と平行に接するテーパー部（94）を設けることにより、挟持片（93）が天板（21）又は底板（22）方向へ付勢されることとなり、これにより、挟持片（93）と天板（21）又は底板（22）とが圧接するので、各支持板（30）のガタツキをより効果的に防止できるのである。
【００７１】
（第１０の発明）
また、第１０の発明は、第８又は第９の発明の特徴に加え、前記バネ部（100）の先端付近に、反挟持片（93）方向へ向けて突出する先端凸部（101）を設け、この先端凸部（101）が第１突出片（73）と圧接するように形成したことを特徴とする。
【００７２】
このように、バネ部（100）の先端付近に、反挟持片（93）方向へ向けて突出する先端凸部（101）を設け、この先端凸部（101）を第１突出片（73）に圧接させることにより、バネ部（100）による付勢をより効果的に行えるのである。
【００７３】
【発明の実施の形態】
（第１の実施の形態）
（図面の説明）
図１ないし図１１は、第１の実施の形態を示すものである。
図１は、スロットマシン用リールユニット10の分解斜視図、図２は、フレーム20の正面図、図３は、フレーム20の側面図、図４は、フレーム20の上面図、図５は、フレーム20の分解斜視図、図６の（Ａ）は、支持板30の側面図、図６の（Ｂ）は、支持板30の正面図、図６の（Ｃ）は、支持板30の上面図、図７は、被係止部70及び係止部90の斜視図、図８は、被係止部70及び係止部90の側断面図、図９は、被係止部70及び係止部90の上断面図、図１０は、被ビス止め部60及びビス止め部80の斜視図、図１１の（Ａ）は、支持板30の側面図、図１１の（Ｂ）は、支持板30の正面図、図１１の（Ｃ）は、支持板30の上面図である。
【００７４】
（スロットマシン用リールユニット10）
スロットマシン用リールユニット10は、図１に示すように、フレーム20と、このフレーム20に固定される３枚の支持板30と、各支持板30にそれぞれ固定されるステッピングモータ40と、各ステッピングモータ40の回転軸にそれぞれ固定される回転リール50とを備えている。
【００７５】
また、フレーム20は、天板21と、この天板21と対向する底板22と、互いに対向する２枚の側板23とを有している。
また、フレーム20の天板21と底板22との間には、３枚の支持板30が所定間隔をあけて側板23と平行に固定されている。
また、各支持板30のほぼ中央位置には、それぞれ、ステッピングモータ40が固定されている。
【００７６】
また、各ステッピングモータ40の回転軸には、それぞれ、回転リール50が固定されている。
また、各回転リール50は、それぞれ、その一部をフレーム20の前面の開口部から突出させている。
（フレーム20）
フレーム20は、図１ないし図４に示すように、四角枠型に形成されており、前面及び後面には開口部を有している。また、このフレーム20は、四角平板状の天板21と、四角平板状の底板22と、四角平板状の２枚の側板23とを有している。また、天板21と底板22とは互いに対向するように形成され、また、２枚の側板23も互いに対向するように形成されている。
【００７７】
また、天板21の前面には、支持板30がビス止めされる４つの被ビス止め部60が設けられている。具体的には、天板21の前面には、その両端付近に１つずつと、天板21の前面を３等分したときの区切り位置に１つずつとで、合計４つの被ビス止め部60が設けられている。
また、天板21の奥行巾の中間には、支持板30が係止される４つの被係止部70が設けられている。具体的には、天板21の奥行巾の中間には、各被ビス止め部60の後方に１つずつ、合計４つの被係止部70が設けられている。
【００７８】
また、底板22の前面には、支持板30がビス止めされる４つの被ビス止め部60が設けられている。具体的には、底板22の前面には、その両端付近に１つずつと、底板22の前面を３等分したときの区切り位置に１つずつとで、合計４つの被ビス止め部60が設けられている。
また、底板22の奥行巾の中間には、支持板30が係止される４つの被係止部70が設けられている。具体的には、底板22の奥行巾の中間には、各被ビス止め部60の後方に１つずつ、合計４つの被係止部70が設けられている。
【００７９】
また、上述したように、天板21及び底板22には、被ビス止め部60及び被係止部70が４つずつ設けられているが、フレーム20に固定される支持板30は３枚である。このため、天板21及び底板22に４つずつ設けられている被ビス止め部60及び被係止部70のうち、向かって右側の３つは支持板30の固定に使用されるが、左側の１つは余るのである。
【００８０】
また、天板21の被ビス止め部60と底板22の被ビス止め部60とは同一形状に形成されており、また、天板21の被係止部70と底板22の被係止部70とは同一形状に形成されている。すなわち、天板21と底板22とは同一形状に形成されている。このため、フレーム20の上下を逆にして、天板21と底板22とを入れ替えても、同じように使えるのである。
【００８１】
また、このフレーム20は、図５に示すように、同一形状の２個のフレーム構成部材120を組み合わせることによって形成されている。
具体的には、各フレーム構成部材120は、それぞれ、四角板状の基板130と、この基板130の一端からこの基板130に対して垂直方向へ向けて突出させた四角板状の垂直板140とを有している。また、各フレーム構成部材120は、それぞれ、金属板にプレス加工を施すことによって一体的に形成されている。
【００８２】
ここで、一方のフレーム構成部材120を第１フレーム構成部材121とし、他方のフレーム構成部材120を第２フレーム構成部材122とする。
そして、第１フレーム構成部材121の基板130の反垂直板140側の端部と、第２フレーム構成部材122の垂直板140の反基板130側の端部とを固定するとともに、第１フレーム構成部材121の垂直板140の反基板130側の端部と、第２フレーム構成部材122の基板130の反垂直板140側の端部とを固定することによって、四角枠型のフレーム20が形成されているのである。
【００８３】
このように、同一形状の２個のフレーム構成部材120を組み合わせることによってフレーム20を形成することにより、フレーム20を構成する部品の点数や種類を削減することができ、これにより、フレーム20を構成する部品の管理や、フレーム20の組み立て作業を容易にすることができるのである。
また、金属板にプレス加工を施すことによってフレーム構成部材120を一体的に形成することにより、フレーム構成部材120の製造を容易にすることができ、ひいてはスロットマシン用リールユニット10の製造を容易にすることができるのである。
【００８４】
（被ビス止め部60）
被ビス止め部60は、図２及び図１０に示すように、天板21及び底板22の前面に４つずつ設けられている。
具体的には、天板21の前面に設けられている４つの被ビス止め部60は、天板21の前面に、天板21の上方へ向けて突出する外方突出部61を設けるとともに、この外方突出部61の所定位置に、４つのビス穴62を設けることによって形成されている。
【００８５】
また、底板22の前面に設けられている４つの被ビス止め部60は、底板22の前面に、底板22の下方へ向けて突出する外方突出部61を設けるとともに、この外方突出部61の所定位置に、４つのビス穴62を設けることによって形成されている。
また、各外方突出部61は、平板状に形成されているとともに、天板21、底板22及び側板23のいずれに対しても垂直に形成されている。
【００８６】
（被係止部70）
被係止部70は、図７ないし図９に示すように、天板21及び底板22の奥行巾の中間に４つずつ設けられている。
具体的には、天板21の奥行巾の中間に設けられている４つの被係止部70は、天板21の奥行巾の中間に、天板21の下方へ向けて突出する４つの内方突出部71を設けるとともに、各内方突出部71に、それぞれ、天板21と平行方向に延びる横長穴72を設けることによって形成されている。
【００８７】
また、底板22の奥行巾の中間に設けられている４つの被係止部70は、底板22の奥行巾の中間に、底板22の上方へ向けて突出する４つの内方突出部71を設けるとともに、各内方突出部71に、それぞれ、底板22と平行方向に延びる横長穴72を設けることによって形成されている。
また、各内方突出部71は、平板状に形成されているとともに、天板21、底板22及び側板23のいずれに対しても垂直に形成されている。
【００８８】
また、各横長穴72は、天板21又は底板22と平行方向に延びるように、すなわち、横方向に延びるように形成されている。
（支持板30）
支持板30は、図６の（Ａ）ないし（Ｃ）に示すように、四角平板状に形成されている。
【００８９】
また、この支持板30の上前部には、天板21の被ビス止め部60にビス止めされるビス止め部80が設けられ、また、この支持板30の上後部には、天板21の被係止部70に係止される係止部90が設けられ、また、この支持板30の下前部には、底板22の被ビス止め部60にビス止めされるビス止め部80が設けられ、また、この支持板30の下後部には、底板22の被係止部70に係止される係止部90が設けられている。
【００９０】
また、この支持板30の各係止部90付近には、それぞれ、バネ部100が設けられている。
また、この支持板30のほぼ中央には、ステッピングモータ40を固定するための４つのビス穴が設けられている。
また、この支持板30は、金属板にプレス加工を施すことによって一体的に形成されている。
【００９１】
（ビス止め部80）
ビス止め部80は、図１０に示すように、支持板30の上前部及び下前部に１つずつ設けられている。
具体的には、支持板30の上前部に設けられているビス止め部80は、支持板30の上前部に、支持板30の上方へ向けて突出する平板状の突出片81を設けるとともに、この突出片81のほぼ中央に、この突出片81を貫通するビス穴82を設けることによって形成されている。
【００９２】
また、支持板30の下前部に設けられているビス止め部80は、支持板30の下前部に、支持板30の下方へ向けて突出する平板状の突出片81を設けるとともに、この突出片81のほぼ中央に、この突出片81を貫通するビス穴82を設けることによって形成されている。
（バネ部100）
バネ部100は、図６ないし図８に示すように、支持板30の上後部及び下後部に１つずつ設けられている。
【００９３】
具体的には、支持板30の上後部に設けられているバネ部100は、支持板30の上後部付近に、支持板30の下方へ向けて延びる切り込み部110を設けることによって形成されている。すなわち、支持板30の上後部付近に、支持板30の下方へ向けて延びる切り込み部110を設けることによって、支持板30の上後部に板バネを設け、この板バネを、上後部のバネ部100としているのである。
【００９４】
また、支持板30の下後部に設けられているバネ部100は、支持板30の下後部付近に、支持板30の上方へ向けて延びる切り込み部110を設けることによって形成されている。すなわち、支持板30の下後部付近に、支持板30の上方へ向けて延びる切り込み部110を設けることによって、支持板30の下後部に板バネを設け、この板バネを、下後部のバネ部100としているのである。
【００９５】
なお、切り込み部110を設ける位置によって、バネ部100の強度を調整することができる。具体的には、例えば、図１１に示すように、切り込み部110を設ける位置を、図６に示したものよりも前方にすることができる。そうすると、板バネの肉厚を厚くすることができるので、バネ部100の強度を上げることができるのである。
【００９６】
（係止部90）
係止部90は、図７ないし図９に示すように、支持板30の上後部及び下後部に１つずつ設けられている。
具体的には、支持板30の上後部に設けられている係止部90は、上後部のバネ部100の上端から支持板30の後方へ向けて突出する連結部91と、この連結部91の反バネ部100側に連設され、かつ、連結部91側から反連結部91側へ向けてその幅を次第に狭くする平板状の差込部92とを有している。
【００９７】
また、支持板30の下後部に設けられている係止部90は、下後部のバネ部100の下端から支持板30の後方へ向けて突出する連結部91と、この連結部91の反バネ部100側に連設され、かつ、連結部91側から反連結部91側へ向けてその幅を次第に狭くする平板状の差込部92とを有している。
また、差込部92の連結部91側の幅は、横長穴72の長手よりも大きく形成されているとともに、差込部92の反連結部91側の幅は、横長穴72の長手よりも小さく形成されている。
【００９８】
（支持板30のフレーム20への固定）
支持板30のフレーム20への固定は、図１に示すように、前面の開口部からフレーム20の内部に支持板30を挿入して、上後部の係止部90を天板21の被係止部70に係止させ、かつ、下後部の係止部90を底板22の被係止部70に係止させ、かつ、上前部のビス止め部80を天板21の被ビス止め部60にビス止めし、かつ、下前部のビス止め部80を底板22の被ビス止め部60にビス止めすることによって行う。
【００９９】
また、係止部90の被係止部70への係止は、差込部92の反連結部91側の先端を横長穴72に差し込むことによって行う。
また、ビス止め部80の被ビス止め部60へのビス止めは、バネ部100の反発力に抗して突出片81を外方突出部61に押し付けて、この状態で突出片81のビス穴82の位置と外方突出部61のビス穴62の位置とを一致させ、そこにビス83を螺合させることによって行う。
【０１００】
また、支持板30をフレーム20に固定すると、図８に示すように、バネ部100が切り込み部110側を凹曲面にして撓む。このため、支持板30をフレーム20に固定した状態では、バネ部100が係止部90を被係止部70方向へ向けて付勢することとなる。これにより、差込部92が横長穴72に押し込まれるようにして、係止部90が被係止部70に圧接するのである。
【０１０１】
このように、本実施の形態に係るスロットマシン用リールユニット10は、各支持板30のビス止め箇所を２ヶ所にすることにより、ビス83の止め外しの手間を軽減させて、支持板30の着脱作業を容易にしているのである。
また、本実施の形態に係るスロットマシン用リールユニット10は、各支持板30に２ヶ所の係止箇所を設けているとともに、各係止部90付近には、各係止部90を各被係止部70に圧接させるバネ部100を設けている。そして、このバネ部100によって、係止部90付近におけるフレーム20と支持板30との間のガタツキを抑えるようにし、更には、ステッピングモータ40の回転や回転リール50の回転による振動を吸収するようにしているのである。
【０１０２】
また、本実施の形態に係るスロットマシン用リールユニット10は、各支持板30のビス止め箇所をフレーム20の前面に設けることによって、ビス83の止め外しを容易に行えるようにし、これにより、メンテナンス性をより一層向上させているのである。
更に、本実施の形態に係るスロットマシン用リールユニット10は、バネ部100が差込部92を横長穴72に押し込むことによって、横長穴72に対する差込部92の横方向のガタツキを防止し、ひいては各支持板30の横方向のガタツキを防止するようにしているのである。
【０１０３】
（参考実施形態）
（図面の説明）
図１２及び図１３は、参考実施形態を示すものである。
図１２は、支持板30の要部側面図、図１３は、フレーム20及び支持板30の要部側断面図である。
【０１０４】
本実施の形態は、各支持板30の各係止部90付近に、支持板30をフレーム20に固定した際にフレーム20に圧接するバネ部100を設けたものである。
すなわち、第１の実施の形態は、係止部90付近に設けたバネ部100が、係止部90を付勢することにより、係止部90が被係止部70に圧接するようにしたものであるが、本実施の形態は、係止部90付近に設けたバネ部100が、直にフレーム20に圧接するようにしたものである。
【０１０５】
また、本実施の形態は、係止部90及びバネ部100以外については、第１の実施の形態と同様である。
したがって、本実施の形態では、係止部90及びバネ部100を中心に説明する。
（係止部90）
係止部90は、支持板30の上後部及び下後部に１つずつ設けられている。
【０１０６】
具体的には、支持板30の上後部に設けられている係止部90は、図１２に示すように、支持板30の上後部に、支持板30の後方へ向けて突出する平板状の差込部92を連設することによって形成されている。
同様に、支持板30の下後部に設けられている係止部90も、支持板30の下後部に、支持板30の後方へ向けて突出する平板状の差込部92を連設することによって形成されている。
【０１０７】
（バネ部100）
バネ部100は、支持板30の上後部及び下後部に１つずつ設けられている。
具体的には、支持板30の上後部に設けられているバネ部100は、図１２に示すように、支持板30の上後部付近に、支持板30の下方へ向けて延びる切り込み部110を設けることによって形成されている。すなわち、支持板30の上後部付近に、支持板30の下方へ向けて延びる切り込み部110を設けることによって、支持板30の上後部に板バネを設け、この板バネを、上後部のバネ部100としているのである。
【０１０８】
同様に、支持板30の下後部に設けられているバネ部100は、支持板30の下後部付近に、支持板30の上方へ向けて延びる切り込み部110を設けることによって形成されている。すなわち、支持板30の下後部付近に、支持板30の上方へ向けて延びる切り込み部110を設けることによって、支持板30の下後部に板バネを設け、この板バネを、下後部のバネ部100としているのである。
【０１０９】
（支持板30のフレーム20への固定）
支持板30のフレーム20への固定は、第１の実施の形態と同様に、上後部の係止部90を天板21の被係止部70に係止させ、かつ、下後部の係止部90を底板22の被係止部70に係止させ、かつ、上前部のビス止め部80を天板21の被ビス止め部60にビス止めし、かつ、下前部のビス止め部80を底板22の被ビス止め部60にビス止めすることによって行う。
【０１１０】
また、本実施の形態では、支持板30をフレーム20に固定すると、図１３に示すように、バネ部100の先端が被係止部70の内方突出部71に当接して、バネ部100が切り込み部110側を凹曲面にして撓む。すなわち、バネ部100が直にフレーム20に圧接するのである。
このように、各係止部90付近にバネ部100を設けるとともに、このバネ部100が、係止部90を被係止部70に圧接させるのではなく、直にフレーム20に圧接するようにしても、係止部90付近におけるフレーム20と支持板30との間のガタツキを抑えることができ、更には、ステッピングモータ40の回転や回転リール50の回転による振動を吸収することができるのである。
【０１１１】
（第２の実施の形態）
（図面の説明）
図１４ないし図２７は、第２の実施の形態を示すものである。
図１４は、スロットマシン用リールユニット10の正面図、図１５は、スロットマシン用リールユニット10の側面図、図１６は、スロットマシン用リールユニット10の上面図、図１７は、フレーム20の天板21の三面図、図１８及び図１９は、フレーム20の天板21の要部拡大図、図２０は、フレーム20の底板22の三面図、図２１は、支持板30の四面図、図２２及び図２３は、支持板30の要部拡大図、図２４は、被係止部70及び係止部90の斜視図（非係止状態）、図２５は、被係止部70及び係止部90の上面図（係止状態）、図２６は、被係止部70及び係止部90の正面図（係止状態）、図２７は、被係止部70及び係止部90の斜視図（係止状態）である。
【０１１２】
本実施の形態は、各係止部90自体がバネ部100を備え、このバネ部100が係止部90を被係止部70に圧接させるようにしたものである。
すなわち、第１の実施の形態は、係止部90付近にバネ部100を設け、このバネ部100が係止部90を付勢することにより、係止部90が被係止部70に圧接するようにしたものであり、また、参考実施形態は、係止部90付近にバネ部100を設け、このバネ部100が直にフレーム20に圧接するようにしたものであるが、本実施の形態は、係止部90自体がバネ部100を備え、このバネ部100が係止部90を被係止部70に圧接させるようにしたものである。
【０１１３】
また、本実施の形態は、被係止部70を、天板21又は底板22に対して垂直に突出する第１突出片73と、天板21又は底板22に対して斜めに突出する第２突出片74とから構成するとともに、係止部90を、天板21又は底板22と第２突出片74との間に挟まれるようにして保持される挟持片93と、第１突出片73に圧接して挟持片93を天板21又は底板22と第２突出片74との間に押し込むバネ部100とから構成したものである。そして、被係止部70の第１突出片73と第２突出片74との間に、係止部90の挟持片93とバネ部100とが挟まれることにより、係止部90が被係止部70に係止されるようにしたものであり、更には、バネ部100が挟持片93を天板21又は底板22と第２突出片74との間に押し込むことにより、係止部90が被係止部70に圧接するようにしたものである。
【０１１４】
以下、更に、本実施の形態について詳述する。
（スロットマシン用リールユニット10）
スロットマシン用リールユニット10は、図１４ないし図１６に示すように、フレーム20と、このフレーム20に固定される３枚の支持板30と、各支持板30にそれぞれ固定されるステッピングモータ40と、各ステッピングモータ40の回転軸にそれぞれ固定される回転リール50とを備えている。
【０１１５】
また、フレーム20は、天板21と、この天板21と対向する底板22と、互いに対向する２枚の側板23とを有している。
また、フレーム20の天板21と底板22との間には、３枚の支持板30が所定間隔をあけて側板23と平行に固定されている。
また、各支持板30のほぼ中央位置には、それぞれ、ステッピングモータ40が固定されている。
【０１１６】
また、各ステッピングモータ40の回転軸には、それぞれ、回転リール50が固定されている。
また、各回転リール50は、それぞれ、その一部をフレーム20の前面の開口部から突出させている。
（フレーム20）
フレーム20は、図１４ないし図１６に示すように、四角枠型に形成されており、前面及び後面には開口部を有している。また、このフレーム20は、四角平板状の天板21と、四角平板状の底板22と、四角平板状の２枚の側板23とを有している。また、天板21と底板22とは互いに対向するように形成され、また、２枚の側板23も互いに対向するように形成されている。
【０１１７】
また、図１７に示すように、天板21の前面には、支持板30がビス止めされる３つの被ビス止め部60が設けられている。
また、図１７に示すように、天板21の後面付近には、支持板30が係止される３つの被係止部70が設けられている。また、各被係止部70は、各被ビス止め部60の後方に位置している。
【０１１８】
また、図１７に示すように、天板21の各被ビス止め部60と各被係止部70との間には、支持板30の上部をガイドするための２つのガイド片75が対向するようにして設けられている。
また、図２０に示すように、底板22の前面には、支持板30がビス止めされる３つの被ビス止め部60が設けられている。
【０１１９】
また、図２０に示すように、底板22の後面付近には、支持板30が係止される３つの被係止部70が設けられている。また、各被係止部70は、各被ビス止め部60の後方に位置している。
また、図２０に示すように、底板22の各被ビス止め部60と各被係止部70との間には、支持板30の下部をガイドするための２つのガイド片75が対向するようにして設けられている。
【０１２０】
（被ビス止め部60）
被ビス止め部60は、図１７及び図２０に示すように、天板21及び底板22の前面に３つずつ設けられている。
具体的には、天板21の前面に設けられている３つの被ビス止め部60は、天板21の前面に、天板21の上方へ向けて突出する外方突出部61を設けるとともに、この外方突出部61の所定位置に、３つのビス穴62を設けることによって形成されている。
【０１２１】
また、底板22の前面に設けられている３つの被ビス止め部60は、底板22の前面に、底板22の下方へ向けて突出する外方突出部61を設けるとともに、この外方突出部61の所定位置に、３つのビス穴62を設けることによって形成されている。
また、各外方突出部61は、平板状に形成されているとともに、天板21、底板22及び側板23のいずれに対しても垂直に形成されている。
【０１２２】
（被係止部70）
被係止部70は、図１７及び図２０に示すように、天板21及び底板22の後面付近に３つずつ設けられている。
天板21に設けられている被係止部70は、支持板30の上後部に設けられている係止部90を挟むようにして係止させるためのものであり、また、底板22に設けられている被係止部70は、支持板30の下後部に設けられている係止部90を挟むようにして係止させるためのものである。
【０１２３】
具体的には、図１７ないし図１９、及び図２４ないし図２７に示すように、天板21に設けられている各被係止部70は、それぞれ、天板21からフレーム20の内方へ向けて、且つ、天板21に対して垂直に突出する第１突出片73と、この第１突出片73付近の天板21から第１突出片73の先端方向へ向けて、且つ、天板21に対して斜めに突出する第２突出片74とを有している。
【０１２４】
また、図２０に示すように、底板22に設けられている各被係止部70は、それぞれ、底板22からフレーム20の内方へ向けて、且つ、底板22に対して垂直に突出する第１突出片73と、この第１突出片73付近の底板22から第１突出片73の先端方向へ向けて、且つ、底板22に対して斜めに突出する第２突出片74とを有している。
これにより、各被係止部70の第１突出片73と第２突出片74との間隔は、天板21又は底板22からフレーム20の内方へ向かうに従って次第に狭くなる。
【０１２５】
（ガイド片75）
ガイド片75は、支持板30の上部及び下部をガイドするためのものである。
具体的には、図１７に示すように、天板21の各被ビス止め部60と各被係止部70との間には、支持板30の上部をガイドするための２つのガイド片75が対向するようにして設けられている。また、各ガイド片75は、天板21からフレーム20の内方へ向けて、且つ、天板21に対して垂直に突出している。そして、支持板30をフレーム20に固定する際には、支持板30の上部が２つのガイド片75の間を通過するようにしている。
【０１２６】
また、図２０に示すように、底板22の各被ビス止め部60と各被係止部70との間には、支持板30の下部をガイドするための２つのガイド片75が対向するようにして設けられている。また、各ガイド片75は、底板22からフレーム20の内方へ向けて、且つ、底板22に対して垂直に突出している。そして、支持板30をフレーム20に固定する際には、支持板30の下部が２つのガイド片75の間を通過するようにしている。
【０１２７】
（支持板30）
支持板30は、図２１に示すように、板状に形成されている。
また、この支持板30の上前部には、天板21の被ビス止め部60にビス止めされるビス止め部80が設けられ、また、この支持板30の上後部には、天板21の被係止部70に係止される係止部90が設けられ、また、この支持板30の下前部には、底板22の被ビス止め部60にビス止めされるビス止め部80が設けられ、また、この支持板30の下後部には、底板22の被係止部70に係止される係止部90が設けられている。
【０１２８】
（ビス止め部80）
ビス止め部80は、図２１に示すように、支持板30の上前部及び下前部に１つずつ設けられている。
具体的には、支持板30の上前部に設けられているビス止め部80は、支持板30の上前部に、支持板30の上方へ向けて突出する平板状の突出片81を設けるとともに、この突出片81の所定位置に、この突出片81を貫通するビス穴82を設けることによって形成されている。
【０１２９】
また、支持板30の下前部に設けられているビス止め部80は、支持板30の下前部に、支持板30の下方へ向けて突出する平板状の突出片81を設けるとともに、この突出片81の所定位置に、この突出片81を貫通するビス穴82を設けることによって形成されている。
（係止部90）
係止部90は、図２１に示すように、支持板30の上後部及び下後部に１つずつ設けられている。
【０１３０】
支持板30の上後部に設けられている係止部90は、天板21に設けられている被係止部70の第１突出片73と第２突出片74との間に挟まれるようにして係止されるものであり、また、支持板30の下後部に設けられている係止部90は、底板22に設けられている被係止部70の第１突出片73と第２突出片74との間に挟まれるようにして係止されるものである。
【０１３１】
具体的には、図２１ないし図２７に示すように、支持板30の上後部に設けられている係止部90は、第１突出片73と第２突出片74との間に位置し、且つ、天板21と第２突出片74との間に挟まれるようにして保持される挟持片93と、この挟持片93に連設され、且つ、第１突出片73に圧接して挟持片93を天板21と第２突出片74との間に押し込むバネ部100とを有している。
【０１３２】
また、図２２ないし図２７に示すように、支持板30の上後部に設けられている係止部90は、天板21に平行な平板状に形成されている。また、支持板30の上後部に設けられている係止部90には、その後端から前方へ向けて延びる切り込み部110が設けられている。そして、この切り込み部110の一方側が挟持片93とされ、他方側がバネ部100とされている。そして、バネ部100の横幅は、挟持片93の横幅よりも狭く形成されている。
【０１３３】
また、図２２ないし図２７に示すように、挟持片93における第２突出片74との接触部位には、第２突出片74と平行に接するテーパー部94が設けられている。そして、係止部90を被係止部70に係止させた際には、第２突出片74とテーパー部94とが平行に接するようになっている。
更に、図２２及び図２７に示すように、バネ部100の先端付近には、反挟持片93方向へ向けて突出する先端凸部101が設けられている。そして、係止部90を被係止部70に係止させた際には、この先端凸部101が第１突出片73に圧接するようになっている。
【０１３４】
また、支持板30の下後部に設けられている係止部90も、支持板30の上後部に設けられている係止部90と同様に形成されている。
（支持板30のフレーム20への固定）
支持板30のフレーム20への固定は、前面の開口部からフレーム20の内部に支持板30を挿入して、上後部の係止部90を天板21の被係止部70に係止させ、かつ、下後部の係止部90を底板22の被係止部70に係止させ、かつ、上前部のビス止め部80を天板21の被ビス止め部60にビス止めし、かつ、下前部のビス止め部80を底板22の被ビス止め部60にビス止めすることによって行う。
【０１３５】
また、係止部90の被係止部70への係止は、係止部90の挟持片93及びバネ部100を、被係止部70の第１突出片73と第２突出片74との間に押し込むようにして行う。
また、ビス止め部80の被ビス止め部60へのビス止めは、突出片81を外方突出部61に押し当て、突出片81のビス穴82の位置と外方突出部61のビス穴62の位置とを一致させ、そこにビス83を螺合させることによって行う。
【０１３６】
また、係止部90を被係止部70に係止させると、図２５及び図２７に示すように、バネ部100が切り込み部110側を凹曲面にして撓む。このため、係止部90を被係止部70に係止させた状態では、バネ部100が挟持片93を天板21又は底板22と第２突出片74との間に押し込むこととなる。
また、挟持片93における第２突出片74との接触部位には、第２突出片74と平行に接するテーパー部94が設けられている。このため、挟持片93が天板21又は底板22方向へ付勢されることとなり、これにより、挟持片93と天板21又は底板22とが圧接することとなる。
【０１３７】
更に、バネ部100の先端付近には、反挟持片93方向へ向けて突出する先端凸部101が設けられ、この先端凸部101が第１突出片73に圧接している。このため、先端凸部101を設けた分だけバネ部100が挟持片93方向へより大きく撓むこととなり、これにより、挟持片93が天板21又は底板22と第２突出片74との間により強く押し込まれることとなる。
【０１３８】
このように、本実施の形態に係るスロットマシン用リールユニット10は、各支持板30のビス止め箇所を２ヶ所にすることにより、ビス83の止め外しの手間を軽減させて、支持板30の着脱作業を容易にしているのである。
また、本実施の形態に係るスロットマシン用リールユニット10は、各支持板30に２ヶ所の係止箇所を設けているとともに、各係止部90自体に、各係止部90を各被係止部70に圧接させるバネ部100を備えている。そして、このバネ部100によって、係止部90付近におけるフレーム20と支持板30との間のガタツキを抑えるようにし、更には、ステッピングモータ40の回転や回転リール50の回転による振動を吸収するようにしているのである。
【０１３９】
また、本実施の形態に係るスロットマシン用リールユニット10は、各支持板30のビス止め箇所をフレーム20の前面に設けることによって、ビス83の止め外しを容易に行えるようにし、これにより、メンテナンス性をより一層向上させているのである。
また、本実施の形態に係るスロットマシン用リールユニット10は、各被係止部70を、天板21又は底板22に対して垂直に突出する第１突出片73と、天板21又は底板22に対して斜めに突出する第２突出片74とから構成するとともに、各係止部90を、天板21又は底板22と第２突出片74との間に挟まれるようにして保持される挟持片93と、第１突出片73に圧接して挟持片93を天板（21）又は底板22と第２突出片74との間に押し込むバネ部100とから構成し、これにより、挟持片93が天板21又は底板22と第２突出片74とに圧接するようにして、各支持板30の上下方向及び横方向の双方のガタツキを防止しているのである。
【０１４０】
また、本実施の形態に係るスロットマシン用リールユニット10は、各係止部90を、天板21又は底板22に平行な平板状に形成するとともに、各係止部90に、その後端から前方へ向けて延びる切り込み部110を設け、この切り込み部110の一方側を挟持片93とし且つ他方側をバネ部100とするとともに、バネ部100の横幅を挟持片93の横幅よりも狭く形成することにより、各係止部90の構造を単純化しているのである。
【０１４１】
また、本実施の形態に係るスロットマシン用リールユニット10は、挟持片93における第２突出片74との接触部位に、第２突出片74と平行に接するテーパー部94を設けることにより、挟持片93と第２突出片74との接触面積を大きくするとともに、挟持片93を天板21又は底板22方向へ付勢して、挟持片93と天板21又は底板22とが圧接するようにし、これらにより、各支持板30のガタツキをより効果的に防止しているのである。
【０１４２】
更に、本実施の形態に係るスロットマシン用リールユニット10は、バネ部100の先端付近に、反挟持片93方向へ向けて突出する先端凸部101を設け、この先端凸部101を第１突出片73に圧接させることにより、先端凸部101を設けた分だけバネ部100を挟持片93方向へより大きく撓ませ、これにより、挟持片93を天板21又は底板22と第２突出片74との間により強く押し込むようにして、バネ部100による付勢をより効果的に行うようにしているのである。
【０１４３】
【発明の効果】
（第１の発明）
第１の発明によれば、各支持板の着脱作業を容易にしつつ、フレームと各支持板との間のガタツキを防止したスロットマシン用リールユニットを提供することができるのである。
【０１４４】
（第２の発明）
また、第２の発明によれば、各支持板の着脱作業を容易にしつつ、フレームと各支持板との間のガタツキを防止したスロットマシン用リールユニットを提供することができるのである。
（第３の発明）
また、第３の発明によれば、各支持板の着脱作業を容易にしつつ、フレームと各支持板との間のガタツキを防止したスロットマシン用リールユニットを提供することができるのである。
【０１４５】
（第４の発明）
また、第４の発明によれば、各支持板の横方向のガタツキも防止したスロットマシン用リールユニットを提供することができるのである。
（第５の発明）
また、第５の発明によれば、製造が容易なスロットマシン用リールユニットを提供することができるのである。
【０１４６】
（第６の発明）
また、第６の発明によれば、各支持板の着脱作業を容易にしつつ、フレームと各支持板との間のガタツキを防止したスロットマシン用リールユニットを提供できるのである。
（第７の発明）
また、第７の発明によれば、各支持板の上下方向及び横方向の双方のガタツキを防止できるスロットマシン用リールユニットを提供できるのである。
【０１４７】
（第８の発明）
また、第８の発明によれば、各係止部の構造が単純なスロットマシン用リールユニットを提供できるのである。
（第９の発明）
また、第９の発明によれば、各支持板のガタツキをより効果的に防止できるスロットマシン用リールユニットを提供できるのである。
【０１４８】
（第１０の発明）
更に、第１０の発明によれば、バネ部による挟持片の付勢をより効果的に行えるスロットマシン用リールユニットを提供できるのである。
【図面の簡単な説明】
【図１】  第１の実施の形態に係るスロットマシン用リールユニットの分解斜視図。
【図２】  第１の実施の形態に係るスロットマシン用リールユニットのフレームの正面図。
【図３】  第１の実施の形態に係るスロットマシン用リールユニットのフレームの側面図。
【図４】  第１の実施の形態に係るスロットマシン用リールユニットのフレームの上面図。
【図５】  第１の実施の形態に係るスロットマシン用リールユニットのフレームの分解斜視図。
【図６】  第１の実施の形態に係るスロットマシン用リールユニットの支持板の側面図、正面図、及び上面図。
【図７】  第１の実施の形態に係るスロットマシン用リールユニットの被係止部及び係止部の斜視図。
【図８】  第１の実施の形態に係るスロットマシン用リールユニットの被係止部及び係止部の側断面図。
【図９】  第１の実施の形態に係るスロットマシン用リールユニットの被係止部及び係止部の上断面図。
【図１０】  第１の実施の形態に係るスロットマシン用リールユニットの被ビス止め部及びビス止め部の斜視図。
【図１１】  第１の実施の形態に係るスロットマシン用リールユニットの支持板の側面図、正面図、及び上面図。
【図１２】  参考実施形態に係るスロットマシン用リールユニットの支持板の要部側面図。
【図１３】  参考実施形態に係るスロットマシン用リールユニットのフレーム及び支持板の要部側断面図。
【図１４】  第２の実施の形態に係るスロットマシン用リールユニットの正面図。
【図１５】  第２の実施の形態に係るスロットマシン用リールユニットの側面図。
【図１６】  第２の実施の形態に係るスロットマシン用リールユニットの上面図。
【図１７】  第２の実施の形態に係るスロットマシン用リールユニットのフレームの天板の三面図。
【図１８】  第２の実施の形態に係るスロットマシン用リールユニットのフレームの天板の要部拡大図。
【図１９】  第２の実施の形態に係るスロットマシン用リールユニットのフレームの天板の要部拡大図。
【図２０】  第２の実施の形態に係るスロットマシン用リールユニットのフレームの底板の三面図。
【図２１】  第２の実施の形態に係るスロットマシン用リールユニットの支持板の四面図。
【図２２】  第２の実施の形態に係るスロットマシン用リールユニットの支持板の要部拡大図。
【図２３】  第２の実施の形態に係るスロットマシン用リールユニットの支持板の要部拡大図。
【図２４】  第２の実施の形態に係るスロットマシン用リールユニットの被係止部及び係止部の斜視図（非係止状態）。
【図２５】  第２の実施の形態に係るスロットマシン用リールユニットの被係止部及び係止部の上面図（係止状態）。
【図２６】  第２の実施の形態に係るスロットマシン用リールユニットの被係止部及び係止部の正面図（係止状態）。
【図２７】  第２の実施の形態に係るスロットマシン用リールユニットの被係止部及び係止部の斜視図（係止状態）。
【符号の説明】
10 スロットマシン用リールユニット   20 フレーム
21 天板                             22 底板
23 側板                             30 支持板
40 ステッピングモータ               50 回転リール
60 被ビス止め部                     61 外方突出部
62 ビス穴                           70 被係止部
71 内方突出部                       72 横長穴
73 第１突出片                       74 第２突出片
75 ガイド片                         80 ビス止め部
81 突出片                           82 ビス穴
83 ビス                             90 係止部
91 連結部                           92 差込部
93 挟持片                           94 テーパー部
100 バネ部                          101 先端凸部
110 切り込み部                      120 フレーム構成部材
121 第１フレーム構成部材            122 第２フレーム構成部材
130 基板                            140 垂直板
【図１】
0004063638.tif 000002
【図２】
0004063638.tif 000003
【図３】
0004063638.tif 000004
【図４】
0004063638.tif 000005
【図５】
0004063638.tif 000006
【図６】
0004063638.tif 000007
【図７】
0004063638.tif 000008
【図８】
0004063638.tif 000009
【図９】
0004063638.tif 000010
【図１０】
0004063638.tif 000011
【図１１】
0004063638.tif 000012
【図１２】
0004063638.tif 000013
【図１３】
0004063638.tif 000014
【図１４】
0004063638.tif 000015
【図１５】
0004063638.tif 000016
【図１６】
0004063638.tif 000017
【図１７】
0004063638.tif 000018
【図１８】
0004063638.tif 000019
【図１９】
0004063638.tif 000020
【図２０】
0004063638.tif 000021
【図２１】
0004063638.tif 000022
【図２２】
0004063638.tif 000023
【図２３】
0004063638.tif 000024
【図２４】
0004063638.tif 000025
【図２５】
0004063638.tif 000026
【図２６】
0004063638.tif 000027
【図２７】
0004063638.tif 000028